(57)【要約】      （修正有）【課題】高級感のある操作感および外観を有して結婚式の記念品等に好適な映像表示装置を提供する。【解決手段】表表紙部分２を開くことで、本体部３に収納されたＬＣＤモジュール２０の液晶ディスプレイ２１から映像が出力されるようにした映像表示装置１おいて、ＬＣＤモジュール２０には、磁力を検知するホール素子と該ホール素子に近接配置される磁性体２２とが含まれる。表表紙部分２に、表表紙部分２を閉じた際に磁性体２２と重なるように配設された永久磁石２４を埋設し、ＬＤＣモジュール２０は、表表紙部分２を閉じて永久磁石２４が磁性体２２につくと映像の出力を停止し、一方、表表紙部分２を開いてホール素子が永久磁石２４の磁力を検知しなくなると映像の出力を開始するように構成されていることを特徴とする映像表示装置。表表紙部分２に、屈曲部を介して連なる裏表紙部分４を設ける。【選択図】図３
0003206015.tif 000002
【実用新案登録請求の範囲】
【請求項１】
表表紙部分（２，３１）を開くことで、本体部（３，３２）に収納されたＬＣＤモジュール（２０，３４）の液晶ディスプレイ（２１，３３）から映像が出力されるようにした映像表示装置（１，３０）おいて、
前記ＬＣＤモジュール（２０，３４）には、磁力を検知するホール素子（２６）と該ホール素子（２６）に近接配置される磁性体（２２，３５）とが含まれており、
前記表表紙部分（２,３１）には、前記表表紙部分（２，３１）を閉じた際に前記磁性体（２２，３５）と重なるように配設された永久磁石（２４，３７）が埋設されており、
前記ＬＤＣモジュール（２０，３４）は、前記表表紙部分（２，３１）を閉じて前記永久磁石（２４，３７）が前記磁性体（２２，３５）につくと前記映像の出力を停止し、一方、前記表表紙部分（２，３１）を開いて前記ホール素子（２６）が前記永久磁石（２４，３７）の磁力を検知しなくなると前記映像の出力を開始するように構成されていることを特徴とする映像表示装置。
【請求項２】
前記本体部（３）の外形が、前記表表紙部分（２）より一回り小さく設定されていることを特徴とする請求項１に記載の映像表示装置。
【請求項３】
前記本体部（３２）の外形が、前記表表紙部分（３１）と同一に設定されていることを特徴とする請求項１に記載の映像表示装置。
【請求項４】
前記表表紙部分（２，３１）および前記本体部（３，３２）の表面が、それぞれ同柄の布状部材で包まれていることを特徴とする請求項１または２に記載の映像表示装置。
【請求項５】
前記表表紙部分（２）には、屈曲部を介して前記表表紙部分（２）に連なる裏表紙部分（４）が設けられていることを特徴とする請求項２に記載の映像表示装置。
【請求項６】
前記本体部（３）には、前記ＬＣＤモジュール（２０）に接続されたマイクロＵＳＢの雌側コネクタにアクセスするための差し込み口（５）が設けられていることを特徴とする請求項１に記載の映像表示装置。
【考案の詳細な説明】
【技術分野】
【０００１】
本考案は、映像表示装置に係り、特に、本体に設けられた表表紙部分を開くことで所定の映像および音声が出力されるようにした映像表示装置に関する。
【背景技術】
【０００２】
従来から、結婚式、誕生日等のお祝い時に挨拶として贈るグリーディングカードが知られており、近年では、音声や映像を出力する電子機器を組み込んだものも増加している。
【０００３】
特許文献１には、紙製の三つ折り式のグリーディングカードにおいて、中央ページに液晶ディスプレイおよびスピーカを配設し、表紙ページを開くことで映像および音声が流れるようにした構成が開示されている。
【先行技術文献】
【特許文献】
【０００４】
【特許文献１】実用新案登録第３１７３０７２号公報
【考案の概要】
【考案が解決しようとする課題】
【０００５】
ところで、結婚式の後に新郎新婦の両親に送る記念品として、新郎新婦の幼少時からの思い出映像や結婚式の映像が流れるようにした映像表示装置を検討した場合、特許文献１のような薄い紙素材ではなく、ハードカバーで装丁された書籍のような外観とすることで記念品としての高級感を高めることが考えられる。
【０００６】
しかし、特許文献１に記載されたグリーディングカードは、表紙ページを開くことで折り目近傍に取り付けられた操作子がＩＣ基板に設けられたスライドスイッチをオンに切り替える構成とされており、表表紙部分を開く際の操作感や外観上の高級感が不足すると共に、表表紙部分を下面にして手に取った場合に、表表紙部分が自重で開いて不意に映像が流れ始めてしまう可能性があった。
【０００７】
本考案の目的は、上記従来技術の課題を解決し、高級感のある操作感および外観を有して結婚式の記念品等に好適な映像表示装置を提供することにある。
【課題を解決するための手段】
【０００８】
前記目的を達成するために、本考案は、表表紙部分（２，３１）を開くことで、本体部（３，３２）に収納されたＬＣＤモジュール（２０，３４）の液晶ディスプレイ（２１，３３）から映像が出力されるようにした映像表示装置（１，３０）おいて、前記ＬＣＤモジュール（２０，３４）には、磁力を検知するホール素子（２６）と該ホール素子（２６）に近接配置される磁性体（２２，３５）とが含まれており、前記表表紙部分（２,３１）には、前記表表紙部分（２）を閉じた際に前記磁性体（２２，３５）と重なるように配設された永久磁石（２４，３７）が埋設されており、前記ＬＤＣモジュール（２０，３４）は、前記表表紙部分（２，３１）を閉じて前記永久磁石（２４，３７）が前記磁性体（２２，３５）につくと前記映像の出力を停止し、一方、前記表表紙部分（２，３１）を開いて前記ホール素子（２６）が前記永久磁石（２４，３７）の磁力を検知しなくなると前記映像の出力を開始するように構成されている点に第１の特徴がある。
【０００９】
また、前記本体部（３）の外形が、前記表表紙部分（２）より一回り小さく設定されている点に第２の特徴がある。
【００１０】
また、前記本体部（３２）の外形が、前記表表紙部分（３１）と同一に設定されている点に第３の特徴がある。
【００１１】
また、前記表表紙部分（２，３１）および前記本体部（３，３２）の表面が、それぞれ同柄の布状部材で包まれている点に第４の特徴がある。
【００１２】
また、前記表表紙部分（２）には、屈曲部を介して前記表表紙部分（２）に連なる裏表紙部分（４）が設けられている点に第５の特徴がある。
【００１３】
さらに、前記本体部（３）には、前記ＬＣＤモジュール（２０）に接続されたマイクロＵＳＢの雌側コネクタにアクセスするための差し込み口（５）が設けられている点に第６の特徴がある。
【考案の効果】
【００１４】
第１の特徴によれば、前記ＬＣＤモジュール（２０，３４）には、磁力を検知するホール素子（２６）と該ホール素子（２６）に近接配置される磁性体（２２，３５）とが含まれており、前記表表紙部分（２,３１）には、前記表表紙部分（２，３１）を閉じた際に前記磁性体（２２，３５）と重なるように配設された永久磁石（２４，３７）が埋設されており、前記ＬＤＣモジュール（２０，３４）は、前記表表紙部分（２，３１）を閉じて前記永久磁石（２４，３７）が前記磁性体（２２，３５）につくと前記映像の出力を停止し、一方、前記表表紙部分（２，３１）を開いて前記ホール素子（２６）が前記永久磁石（２４，３７）の磁力を検知しなくなると前記映像の出力を開始するように構成されているので、永久磁石の磁力によって表表紙部分の開閉操作に小気味よい節度感を与え、映像表示装置の高級感を高めることができる。また、磁力によって表表紙部分を閉じた状態を保持できるため、表表紙部分を下に向けて映像表示装置を手に取った際にも、不意に表表紙部分が開いて映像が流れ出すことを防ぐことができる。
【００１５】
第２の特徴によれば、前記本体部（３）の外形が、前記表表紙部分（２）より一回り小さく設定されているので、表表紙部分に連なる裏表紙部分を設けることで、表紙部分をハードカバーとする書籍のような外観を映像表示装置に与えることが可能となる。
【００１６】
第３の特徴によれば、前記本体部（３２）の外形が、前記表表紙部分（３１）と同一に設定されているので、表表紙部分を閉じた際に映像表示装置全体が１枚の板状となり、すっきりとした外観を与えることができる。
【００１７】
第４の特徴によれば、前記表表紙部分（２，３１）および前記本体部（３，３２）の表面が、それぞれ同柄の布状部材で包まれているので、映像表示装置の外観に統一感および高級感を与えることができる。
【００１８】
第５の特徴によれば、前記表表紙部分（２）には、屈曲部を介して前記表表紙部分（２）に連なる裏表紙部分（４）が設けられているので、表表紙部分および裏表紙部分で本体部を挟んで、ハードカバーの書籍のような外観を得ることができる。また、表表紙部分および裏表紙部分の見返し部に、映像表示装置を贈る相手等を記載するためのカードや、新郎新婦から両親に宛てた手紙を保持する保持部を設けて、映像表示装置の機能の充実を図ることができる。
【００１９】
第６の特徴によれば、前記本体部（３）には、前記ＬＣＤモジュール（２０）に接続されたマイクロＵＳＢの雌側コネクタにアクセスするための差し込み口（５）が設けられているので、雄側コネクタを差し込みやすく、かつ外観されにくい位置に差し込み口を設けることで、映像表示装置の外観性を保ちつつバッテリの充電等を容易に行うことができる。
【図面の簡単な説明】
【００２０】
【図１】本考案の一実施形態に係る映像表示装置の斜視図である
【図２】表表紙部分を開いた状態を示す映像表示装置の斜視図である。
【図３】表表紙部分を開いた状態を示す映像表示装置の平面図である。
【図４】ＬＣＤモジュールの斜視図である。
【図５】裏表表紙部分を開いた状態を示す映像表示装置の平面図である。
【図６】本考案の第２実施形態に係る映像表示装置の斜視図である。
【図７】表表紙部分を開いた状態を示す映像表示装置の斜視図である。
【図８】映像表示装置およびその収納ケースの斜視図である。
【考案を実施するための形態】
【００２１】
以下、図面を参照して本考案の好ましい実施の形態について詳細に説明する。図１は、本考案の一実施形態に係る映像表示装置１の斜視図である。また、図２は表表紙部分２を開いた状態を示す斜視図であり、図３は表表紙部分２を開いた状態を示す平面図である。
【００２２】
ハードカバーの書籍のような外観とされる映像表示装置１は、表表紙部分２と、屈曲部を介して表表紙部分２に連なる裏表紙部分４との間に、本体部３を挟んで構成されている。本体部３の外形は、表表紙部分２より一回り小さく設定されており、厚みのある板状の本体部３が書籍のページ部分のように外観される。
【００２３】
表表紙部分２、裏表紙部分４および本体部３の表面は、それぞれ同柄の布状部材で包まれている。本体部３の底面には、マイクロＵＳＢの雌側コネクタにアクセスするための差し込み口５が設けられている。
【００２４】
表表紙部分２および裏表紙部分４の側端部には、装飾用のリボン６，７を設けることができる。また、表表紙部分２の見返し部分には、贈る相手および贈り主を記載するカード８が設けられている。そして、本実施形態に係る映像表示装置１は、表表紙部分２を書籍のように開くことにより、本体部３の窓からのぞく液晶ディスプレイ２１から所定の映像が流れるように構成されている。
【００２５】
薄型の木枠によって構成される本体部３には、液晶ディスプレイ２１のほか、駆動回路を実装する基板やバッテリ、スピーカを一体に構成したＬＣＤ（liquid crystal display）モジュール２０が収納されている。ＬＣＤモジュール２０には、マイクロＵＳＢの雌側コネクタに連なる配線２３が接続されている。
【００２６】
表表紙部分２の上寄りの位置には、薄型の永久磁石２４が埋設されており、一方、ＬＣＤモジュール２０の上部には、鋼板等の磁性体２２が設けられている。そして、表表紙部分２を閉じると、永久磁石２４が磁性体２２にくっつき、表表紙部分２を閉じた状態が磁力によって保持される。永久磁石２４は、ネオジム磁石等とすることができる。これにより、表表紙部分２を開閉する際に小気味よい節度感を生じる磁力の強さを得ることができる。
【００２７】
図４は、ＬＣＤモジュール２０の斜視図である。ベース２５に埋設される液晶ディスプレイ２１の裏面側は、ＬＣＤモジュール２０を駆動するバッテリ２７および音声を出力するスピーカ２８が配設されている。また、液晶ディスプレイ２１の上部に配設される磁性体２２の裏面側には、基板に実装されるホール素子２６が位置している。永久磁石２４の磁力を検知するホール素子２６は、表表紙部分２を閉じて永久磁石２４が近接配置されている際には映像表示回路を停止し、表表紙部分２を開いて永久磁石２４が離間したことを検知すると映像表示回路を駆動するための電子スイッチとして機能する。なお、配線２３の端部に接続される雌側コネクタを用いてパソコン等と接続することで、バッテリ２７の充電および所定の映像の記録、削除、編集を行うことができる。
【００２８】
図５は、裏表紙部分４を開いた状態を示す映像表示装置１の平面図である。本体部３の裏面側には、スピーカ２８がのぞく貫通孔２８が形成されている。本体部３は布状部材で包まれているので、貫通孔２８が外観されることはない。裏表紙部分４の見返し部分には、新郎新婦から両親へ宛てた手紙１０を保持する保持部９ａ，９ｂが設けられている。なお、保持部９ａ，９ｂは、リボン７，８と同じ素材として視覚上の統一感および高級感が高められている。
【００２９】
図６は、本考案の第２実施形態に係る映像表示装置３０の斜視図である。また、図７は表表紙部分３１を開いた状態を示す映像表示装置３０の斜視図である。本実施形態では、本体部３２および表表紙部分３１のみを有し、裏表紙部分を持たないケース型として構成されている点に特徴がある。表表紙部分３１の外形は、本体部３２の外形と同一とされており、表表紙部分３１を閉じた際に全体が一枚の板状になることで、すっきりとした外観が与えられている。
【００３０】
表表紙部分３１および本体部３２の表面は、シボ加工が施された合成皮革等とすることができる。そして、前記した映像表示装置１と同様に、表表紙部分３１を開くと、永久磁石３７がＬＣＤモジュール３４の磁性体３５から離間して映像表示回路が駆動し、液晶ディスプレイ３３およびスピーカ孔３６から映像および音声が出力される。
【００３１】
図８は、映像表示装置３０およびその収納ケース４０の斜視図である。映像表示装置３０は、ＵＳＢケーブル４２を収納する収納部４１と共に箱状の収納ケース４０に収めることができる。このような収納ケース４０によれば、本棚等にすっきり収納できると共に、背表紙を眺めて結婚式の様子を思い出したり、年月を経てバッテリが切れていてもすぐに充電できて便利である。
【００３２】
なお、映像表示装置の形状や形態、表表紙部分、裏表紙部分および本体部の形状や材質、ＬＣＤモジュールの大きさや構造、永久磁石の配置等は、上記実施形態に限られず、種々の変更が可能である。
【符号の説明】
【００３３】
１，３０…映像表示装置、２，３１…表表紙部分、３，３２…本体部、４…裏表紙部分、５…差し込み口、２０，３４…ＬＣＤモジュール、２１，３３…液晶ディスプレイ、２２，３５…磁性体、２３…配線、２４，３７…永久磁石、２６…ホール素子、２７…バッテリ、２８…スピーカ
【図１】
0003206015.tif 000003
【図２】
0003206015.tif 000004
【図３】
0003206015.tif 000005
【図４】
0003206015.tif 000006
【図５】
0003206015.tif 000007
【図６】
0003206015.tif 000008
【図７】
0003206015.tif 000009
【図８】
0003206015.tif 000010